(57)【要約】【課題】収納容器を始めとして収納容器が配置セットされた庫内のいずれの場所であっても配置セットができる使い勝手のよい小物ケースを備えた冷蔵庫を提供する。【解決手段】上方が出し入れ口となる前後・左右が平らな周壁面３７と底面３９とで形成された小物ケース３３を、少なくとも開閉扉１５の内側に設けられたドアポケット１７のポケット内壁と、あるいはドアポケット内が内と外に仕切られた奥側ポケット１７ｂ−１及び手前側ポケット１７ｂ−２のポケット内壁とそれぞれ近接又は接触し合う状態で配置セットされるセット可能な大きさに作る。【選択図】図１
2010048435.tif 000002
【特許請求の範囲】
【請求項１】
開閉扉と仕切棚を備えた冷蔵庫本体の庫内に配置セットされ上方が出し入れ口となる前後、左右の周壁面と底面とで形成された小物ケースであって、
前記小物ケースは、周壁面の外側に突起物のない平らな壁面形状に形成されると共に、前記開閉扉の内側に設けられたドアポケットのポケット内壁と、あるいは、ドアポケット内が内と外に仕切られた奥側ポケット及び手前側ポケットのポケット内壁とそれぞれ近接又は接触し合う状態で配置セットされるセット可能な大きさに作られていることを特徴とする冷蔵庫。
【請求項２】
前記小物ケースは、奥側ポケットにのみ配置セット可能な大きさに作られていることを特徴とする請求項１記載の冷蔵庫。
【請求項３】
前記小物ケースは、前記ドアポケットから上方へ突出する高さに作られていることを特徴とする請求項１又は２記載の冷蔵庫。
【請求項４】
前記庫内に設置される小物ケース上方の仕切棚は、前記小物ケース上方が大きく開放されるよう後方へ折畳み自在に構成されていることを特徴とする請求項１記載の冷蔵庫。
【請求項５】
前記小物ケースは、庫内に配置される引き出し式の収納容器の床面に形成された設置係合部と上方から係合し合うケース係合部を底面に備えていることを特徴とする請求項１記載の冷蔵庫。
【請求項６】
前記収納容器床面の設置係合部は、床面一面にわたって縦・横に整列して設けられていることを特徴とする請求項１記載の冷蔵庫。
【発明の詳細な説明】
【技術分野】
【０００１】
本発明は開閉扉を備えた庫内に対して小物ケースの配置セットを可能とした冷蔵庫に関する。
【背景技術】
【０００２】
従来、小分けした食品等を入れる小物ケースとしては野菜ケースのケース内部に装着セットして使用するものが知られている。
【０００３】
小物ケースは、装着セットする時に野菜ケースのケース内部において動き回ることなく固定されるように、例えば、小物ケースに設けられた係合フックを野菜ケース内の取付部に対して着脱自在に取付けることで、小物ケースの固定セット状態が得られるようになっている。
【特許文献１】特開平１１−１４２０５１号公報
【発明の開示】
【発明が解決しようとする課題】
【０００４】
小物ケースは、係合フックによって野菜ケース内で動き回ることなく確実な取付け状態が得られる野菜ケース専用となっている。このために、小物ケースを野菜ケース以外の庫内で使用すると外側に張り出した係合フックが突起物となって邪魔になると共に設置時の安定が悪くなる等の問題が発生し野菜ケース以外では使用しにくい面があった。
【０００５】
そこで、本発明にあっては、例えば、冷蔵室内に配置される野菜等が入れられる収納容器を始めとして、収納容器が配置された庫内のいずれの場所であっても自由に配置セットができる使い勝手のよい小物ケースを備えた冷蔵庫を提供することを目的としている。
【課題を解決するための手段】
【０００６】
前記目的を達成するために、本発明にあっては、開閉扉と仕切棚を備えた冷蔵庫本体の庫内に配置セットされ上方が出し入れ口となる前後、左右の周壁面と底面とで形成された小物ケースであって、
前記小物ケースは、周壁面の外側に突起物のない平らな壁面形状に形成されると共に、前記開閉扉の内側に設けられたドアポケットのポケット内壁と、あるいは、ドアポケット内が内と外に仕切られた奥側ポケット及び手前側ポケットのポケット内壁とそれぞれ近接又は接触し合う状態で配置セットされるセット可能な大きさに作られていることを特徴とする。
【発明の効果】
【０００７】
本発明によれば、周壁面に係合フックのような邪魔となる突起物がないため小物ケースを支障なくドアポケット内へ配置セットすることができる。ドアポケット内に配置セットされた小物ケースは、ドアポケット内に対して見栄えよく正しく収まると共にポケット内壁等に近接又は接触し合うことで、倒れることのない安定した状態を得ることができる。
【発明を実施するための最良の形態】
【０００８】
本発明を実施するにあたって第１に、前記小物ケースを、奥側ポケットにのみ配置セット可能な大きさに作るようにすることで、手前側ポケットの出し入れに影響を与えることなく背の高いものを入れることができるようにすることが望ましい。
【０００９】
第２に、前記小物ケースを、前記ドアポケットから上方へ突出する高さに作るようにすることで、例えば、奥側ポケットに配置セットされた小物ケースに対して手で持って簡単、容易に配置セットが行なえるようにすることが望ましい。
【００１０】
第３は、前記庫内に設置される小物ケース上方の仕切棚を、前記小物ケース上方が大きく開放されるよう後方へ折畳み自在に構成することで例えば、背の高い野菜等を立てた状態のまま小物ケースに入れることができるようにすることが望ましい。
【００１１】
第４に、前記小物ケースに、庫内に配置される引き出し式の収納容器の床面に形成された設置係合部と上方から係合し合うケース係合部を底面に備えるようにすることで、収納容器内に正しく位置決めされた固定セット状態が得られるようにすることが望ましい。
【００１２】
第５に、前記収納容器床面の設置係合部を、床面一面にわたって縦・横に整列して設けるようにすることで、小物ケースを収納容器に対して向きにとらわれることなく、縦置き、あるいは、横置きにセットできるようにすることが望ましい。
【実施例】
【００１３】
以下、図１乃至図９の図面を参照しながら本発明に係る実施形態について具体的に説明する。
【００１４】
図１は本発明に係る冷蔵庫の概要正面図を示している。冷蔵庫１の冷蔵庫本体３は上から順に冷蔵室５と左右に配置された製氷室７及び切替室９と冷凍室１１となっている。この場合、冷凍室１１の外に野菜室を備える構造であってもよい。
【００１５】
冷蔵室５は、前面がヒンジ１３を支点として開閉する一対の開閉扉１５となっていて、左右の開閉扉１５の内側には上下４段に仕切られたドアポケット１７が設けられている。
【００１６】
庫内は、仕切棚１９によって複数段に仕切られ、下段には野菜等が入れられる収納容器２１が配置セットされている。収納容器２１は、両サイドに設けられたガイドレール（図示していない）によって引き出し可能となっていて、図９に示す如く前壁面２３、後壁面２５、両側壁面２７とにより上方が大きく開放された形状に作られている。
【００１７】
前壁面２３は前方から容易に出し入れができるように後壁面２５及び両側壁面２７より一段低い立上り壁となっていて、下部は下から上へ向かって指を入れて引き出すための取手部２９となっている。
【００１８】
収納容器２１の床面は床面一面にわたって形成された設置係合部３１となっている。設置係合部３１は別体に作られた小物ケース３３のケース係合部３５と係合し合う波板形状に作られ、波板は前後方向には一定のピッチＰで山と谷が交互に、左右方向には山と谷が左右方向に連続し合う形状となっている。
【００１９】
小物ケース３３は、図６、図７に示す如く上方が出し入れ口となる前後、左右の周壁面３７と底面３９とにより矩形に形成され、周壁面３７の外周は突起物のない平らな壁面形状となっている。
【００２０】
小物ケース３３の底面３９に設けられたケース係合部３５は、半球状の突起体に作られ４箇所に配置されている。
【００２１】
４箇所の内、並列配置された前方のケース係合部３５から後方のケース係合部３５までの距離ｄ−１は図４に示す如く設置係合部３１の波板の２つ分の谷から谷までのピッチ２Ｐと同一ピッチとなっている。
【００２２】
前方及び後方の並列配置されたケース係合部３５からケース係合部３５までの距離ｄ−２は図５に示す如く設置係合部３１の波板の谷から谷までの１つ分のピッチＰと同一ピッチとなっている。
【００２３】
したがって、小物ケース３３を収納容器２１内に対して向きにとらわれることなく縦置き（図９実線）、あるいは、矢印方向へ９０度回転させた横置きのセットが可能となる。セット時の設置係合部３１とケース係合部３５は、引き出し方向（矢印ａ）に対して動くことのない位置決めされた固定セット状態が確保されると共に左右方向に自由な位置にスライド設定が可能である。
【００２４】
この場合、設置係合部３１は波板形状となっているが半球状の突起体に形成されたケース係合部３５と係合し合う凹部状の設置係合部（図示していない）を縦・横に正列して設ける手段であってもよい。
【００２５】
なお、小物ケース３３のケース係合部３５は、向きにとらわれることなく縦置き、横置きが可能であれば数は必ずしも４つでなくてもよく、また、形状も半球状の突起体に特定されない。
【００２６】
一方、設置係合部３１は、収納容器２１の外に仕切棚１９にも設けられ、図８に示す如く小物ケース３３を仕切棚１９にも配置セットすることが可能となっている。
【００２７】
仕切棚１９の一部、即ち、小物ケース３３が配置セットされる上方の仕切棚１９は前半部１９ａと後半部１９ｂとに分割して作られ、後方へ折畳まれる折畳み自在の形状となっている。前半部１９ａが後半部１９ｂの上に重なり合う状態で折畳まれた時、小物ケース３３上方のスペースが大きく確保されることで、例えば、小物ケース３３内に、野菜を立てておいても何等支障が起きないようになっている。
【００２８】
小物ケース３３は、収納容器２１及び仕切棚１９の外に開閉扉１５の内側のドアポケット１７にも配置セットすることが可能となっている。この実施形態では、最下位のビンポケット１７ａのポケット内壁と近接又は接触し合う状態で配置セットされるセット可能な大きさ（図１仮想線）に作られている。
【００２９】
あるいは、最下位のビンポケット１７ｂ内が内と外に仕切られた奥側ポケット１７ｂ−１及び手前側ポケット１７ｂ−２の内、奥側ポケット１７ｂ−１のポケット内壁と近接又は接触し合う状態で配置セットされるセット可能な大きさ（図１実線）に作られている。
【００３０】
小物ケース３３の高さはセットし易いように図２の如くビンポケット１７ｂから上方に突出する高さに作られている。この場合、小物ケース３３は図３で示す如くビンポケット１７ｂと同じ高さであってもよい。
【００３１】
このように構成された冷蔵庫１によれば、小物ケース３３を同一庫内となる収納容器２１、仕切棚１９、ドアポケット１７のいずれの場所でも自由に配置セットすることが可能となる。
【００３２】
この配置セット時、仕切棚１９の場合には外方へ張り出す突起物とぶつかることがないため、柔らかいものであっても傷をつけずに出し入れが行なえると共に仕切棚１９を折畳むことで野菜等を立てた状態で小物ケース３３内へ入れることが可能となる。
【００３３】
また、ドアポケット１７の場合には、確実に固定セットされた状態で見栄えよくポケット内へ小物ケース３３を収められる。しかも、奥側ポケット１７ｂ−１の配置セットの時は手前側ポケット１７ｂ−２の出し入れに影響を与えることなく背の高い野菜等が入れられるようになる。
【００３４】
また、収納容器２１の場合には、引き出し方向に対して安定した固定セット状態が得られると共に向きにとらわれることなく小物ケース３３を縦置きとしたり、横置きにすることができる。
【図面の簡単な説明】
【００３５】
【図１】本発明にかかる開閉扉を開いた状態の冷蔵庫の概要正面図。
【図２】ドアポケットの奥側ポケット内に小物ケースを配置セットした状態の概要説明図。
【図３】小物ケースとドアポケットを同じ高さとした概要説明図。
【図４】小物ケースを縦置きとした時の設置係合部とケース係合部のピッチの関係を示した説明図。
【図５】小物ケースを横置きとした時の設置係合部とケース係合部のピッチの関係を示した説明図。
【図６】小物ケースの概要斜視図。
【図７】小物ケースの概要側面図。
【図８】仕切棚に小物ケースを配置セットした状態の概要斜視図。
【図９】収納容器内に小物ケースを配置セットした状態の概要斜視図。
【符号の説明】
【００３６】
３    冷蔵庫本体
５    冷蔵室
１５    開閉扉
１７    ドアポケット
１７ｂ    ビンポケット
１７ｂ−１    ビンポケットの奥側ポケット
１７ｂ−２    ビンポケットの手前側ポケット
１９    仕切棚
２１    収納容器
３１    設置係合部
３３    小物ケース
３５    ケース係合部
３７    周壁面
３９    底面
【図１】
2010048435.tif 000003
【図２】
2010048435.tif 000004
【図３】
2010048435.tif 000005
【図４】
2010048435.tif 000006
【図５】
2010048435.tif 000007
【図６】
2010048435.tif 000008
【図７】
2010048435.tif 000009
【図８】
2010048435.tif 000010
【図９】
2010048435.tif 000011